(57)【要約】      （修正有）【課題】広告・宣伝効果を高めたティッシュボックスを提供する。【解決手段】板紙、樹脂シート又は段ボール紙を型抜きしたシートを組み立てて形成された六面体の箱であって、箱の下面に、水平面に対して傾斜を有するティッシュ取り出し口を備え、箱の側部に窓を備え、外周の各面に広告・宣伝の文字・デザインを描く。【選択図】図８
0003181488.tif 000002
【実用新案登録請求の範囲】
【請求項１】
板紙・樹脂シート・段ボール紙を素材とし、型抜きした部品を組み立てることで箱となり、その中へ市販されるポケットティッシュを収容することができ、組み立て前は平板な１枚のシート状であるため、輸送する際も低コストとなる事を特徴とするティッシュボックス。
【請求項２】
請求項1のティッシュボックスは外周の各面に広告・宣伝の文字・デザインを描く事で、ＰＯＰ用品としての効用を持つことを特徴とするティッシュボックス。
【請求項３】
請求項１のティッシュボックスはティッシュ取り出し口を下方へ設ける事と取り出し面に傾斜を付ける事で、最後の一枚までスムーズに取り出す事ができ、側部の窓により、ティッシュ残量の確認が容易である事を特徴とするティッシュボックス。
【考案の詳細な説明】
【技術分野】
【０００１】
本考案は外袋に広告・宣伝を印刷して利用されるポケットティッシュの広告・宣伝効果を高めることを目的とし、卓上で長期間に利用できるように作られたティッシュボックスに関するものである。
【背景技術】
【０００２】
販促・広告・宣伝品として配布されるポケットティッシュの外袋に印刷を施した広告・宣伝効果は、そのティッシュ自体の利用期間が短期であり、かつ目に触れる時間が短く、多くを期待することはできない。
【考案の概要】
【考案が解決しようとする課題】
【０００３】
ポケットティッシュの外袋に印刷を施した広告・宣伝物としての効果は、利用者の目に触れる時間が短く、ティッシュ使用後はそのままゴミとして処分されため、費用に対し低いと思われる。
【０００４】
ポケットティッシュは色んな所で重宝に利用されているため広告・宣伝の効用は認められるものの、それを広告・宣伝媒体として安定して活用されるためには、携帯性は損なわれるもののしっかりした箱状の物に収容した方が効率がよく、卓上に置けるようにすると印刷面も増え情報量が増すため、かつ多くの人の目に触れる時間も増えるため一層効果が向上する。
【課題を解決するための手段】
【０００５】
本考案は板紙・樹脂シート・段ボール紙等素材シートを型抜きにより切り出される部品を折たたみ箱を作り、その中にポケットティッシュを袋から取り出して収容する。
【０００６】
ポケットティッシュ自体の紙の折たたみ方にもよるが、上下の紙を絡み合わせていない単純に積重ねただけのティッシュ製品の場合、残量が少なくなると底の方にあるため取り出しにくくなる事を考慮し、取り出し口を下向きにする事で、常に取り出し口開口部にティッシュ自体が出た状態になり、最後の１枚まで簡単に取り出し易くなる。
【０００７】
取り出し口面は底面と並行ではなく、前面を少し上へ、奥を少し下になるよう傾斜を付ける事でよりティッシュを取り出し易くなる。また、側面に窓を設けることで残量の確認が容易になり、ティッシュの補充がスムーズに行え長期間の利用につながる。
【考案の効果】
【０００８】
使い捨てとなり易いポケットティッシュの広告・宣伝効果を高めるために、箱の中に収容し、卓上で長期に利用にする事で、多くの人に長時間目に付く事となり、一層の広告・宣伝効果を期待できる。また外袋への印刷に比べ、外箱だけの印刷なので簡単に模様替えもでき、タイミングを逃さない広告・宣伝媒体となりかつ経費も低減できる。ティッシュボックスは組み立てる前は平板なシート状なので、他の物と同梱して送る事も可能で、輸送コストも削減できる。本来のティッシュの取り出しもスムーズに行える。
【図面の簡単な説明】
【０００９】
図１  本考案の正面図である
図２  本考案の背面図である
図３  本考案の左側面図である
図４  本考案の右側面図である
図５  本考案の平面図である
図６  本考案の底面図である
図７  本考案の縮小展開図である
図８  本考案の斜視図である
図９  本考案の矢視Ａ−Ａ断面図である
【考案を実施するための形態】
【００１０】
以下、本考案を説明する。板紙・樹脂シート・段ボール紙等素材シートに打抜き処理により、図７に示す展開図のような部品を型抜きする。部品には型押し（半切折込罫線）処理がされており、図８に示すティッシュボックスが簡単に組み立てられる。
【００１１】
市販されているポケットティッシュは外袋から中だけを取り出し、ティッシュボックス上部を開けて中へ収容する。
【００１２】
ティッシュボックスの外周には任意に意匠・文字を施し、目的のＰＯＰとして卓上に設置する。卓上に設置することで人の目に触れやすく広告・宣伝効果は継続する。意匠等の変更は外箱だけの変更で行なえ、短時間にかつ低コストで変更可能であるので、ＰＯＰとして非常に便利な使い方ができる。
【００１３】
ティッシュボックスにはティッシュの取り出し口が下方へ向けて作られており、その面は前面はやや上へ奥はやや下へ傾斜となっているため、手を伸ばして中のティッシュを取り出すのは非常にスムーズに行なえる。
【００１４】
ティッシュボックス側面には窓が開いており、ティッシュの残量を簡単に確認でき、残量が少なくなれば上部を開け追加も簡単に行なえるので、通常のポケットティッシュ単独より継続して長期に使えるため、広告・宣伝媒体としても効果を継続する事ができる。
【００１５】
ティッシュボックスは組み立てる前は図８に示す型抜きされた平板であるため、送る場合は、他の書類との同梱することもできるし、輸送コストも低額ですむ。
【実施例】
【００１６】
実際の実施例においては、輸送の簡便性は多少損なわれるが、プラスチック成型品での作成なら長期の耐性で勝る。サイズに関してもポケットティッシュのサイズにこだわらず、レギュラーサイズに対応することも可である。更に、紙ナプキンへの応用も可能である。
【符号の説明】
【００１７】
Ａ  本体断面図の視座。
図中の破線は半切折込罫線を表す。
【図９】
0003181488.tif 000003
【図１】
0003181488.tif 000004
【図２】
0003181488.tif 000005
【図３】
0003181488.tif 000006
【図４】
0003181488.tif 000007
【図５】
0003181488.tif 000008
【図６】
0003181488.tif 000009
【図７】
0003181488.tif 000010
【図８】
0003181488.tif 000011
【手続補正書】
【提出日】平成24年6月20日(2012.6.20)
【手続補正１】
【補正対象書類名】実用新案登録請求の範囲
【補正対象項目名】全文
【補正方法】変更
【補正の内容】
【実用新案登録請求の範囲】
【請求項１】
板紙・樹脂シートまたは段ボール紙を素材とし、型抜きした部品を組み立てる事で箱となり、組み立て前は平板な１枚のシート状である事を特徴とするティッシュボックス。
【請求項２】
請求項１のティッシュボックスは外周の各面に広告・宣伝の文字・デザインを描く事を特徴とするティッシュボックス。
【請求項３】
請求項１のティッシュボックスはティッシュ取り出し口を下方へ設ける事、取り出し面に傾斜を付ける事、側部に窓がある事を特徴とするティッシュボックス。
【手続補正２】
【補正対象書類名】明細書
【補正対象項目名】０００９
【補正方法】変更
【補正の内容】
【０００９】
【図１】本考案の正面図である
【図２】本考案の背面図である
【図３】本考案の左側面図である
【図４】本考案の右側面図である
【図５】本考案の平面図である
【図６】本考案の底面図である
【図７】本考案の縮小展開図である
【図８】本考案の斜視図である
【図９】本考案の矢視A−A断面図である
【手続補正書】
【提出日】平成24年9月20日(2012.9.20)
【手続補正１】
【補正対象書類名】実用新案登録請求の範囲
【補正対象項目名】全文
【補正方法】変更
【補正の内容】
【実用新案登録請求の範囲】
【請求項１】
板紙、樹脂シートまたは段ボール紙を素材とし、型抜きした部品を組み立てる事でティッシュ取り出し口を下方へ設け、その取り出し面に傾斜を付けた、側部に窓がある箱となり、組み立て前は平板な１枚のシート状である事を特徴とするティッシュボックス。
【請求項２】
請求項１のティッシュボックスは外周の各面に広告・宣伝の文字・デザインを描く事を特徴とするティッシュボックス。
【手続補正書】
【提出日】平成24年11月21日(2012.11.21)
【手続補正１】
【補正対象書類名】実用新案登録請求の範囲
【補正対象項目名】全文
【補正方法】変更
【補正の内容】
【実用新案登録請求の範囲】
【請求項１】
板紙、樹脂シートまたは段ボール紙を素材とし、型抜きした平板な１枚のシート状である部品を組み立てて形成された六面体の箱であって、前記箱の下面に、水平面に対して傾斜を有するティッシュ取り出し口を備え、前記箱の側部に、窓を備える事を特徴とするティッシュボックス。
【請求項２】
請求項１のティッシュボックスは外周の各面に広告・宣伝の文字・デザインを描く事を特徴とするティッシュボックス。